(57)【要約】【課題】  清浄するときの感触を良好にできるとともに、身体等の被清浄体を清浄するときに必要な清浄化成分量を比較的少なくすることができる柔軟清浄物を提供する。【解決手段】  石鹸等の清浄化成分を滲透させることができる綿糸等の天然繊維を編成してなる２枚の第１網シート１，１間に、前記清浄化成分の非滲透性を有しポリエステル繊維を編成してなる２枚の第２網シートを配置し、第１網シート１，１及び第２網シートの周縁部を結合してタオルとした。【選択図】        図１
2005028098.tif 000002
【特許請求の範囲】
【請求項１】
清浄化成分の滲透性を有する第１網シート及び清浄化成分の非滲透性を有し前記第１網シートに重なる第２網シートを備えていることを特徴とする柔軟清浄物。
【請求項２】
前記第１網シートは前記第２網シートの両面側に配置されており、第１網シート及び第２網シートの周縁部が結合されている請求項１記載の柔軟清浄物。
【請求項３】
前記第１網シートは天然繊維を編成してなり、第２網シートは合成繊維を編成してなる請求項１又は２記載の柔軟清浄物。
【請求項４】
前記第１網シートは綿糸を編成してなり、第２網シートは合成繊維を編成してなる請求項１又は２記載の柔軟清浄物。
【発明の詳細な説明】
【技術分野】
【０００１】
本発明は入浴するとき等に用いられるタオル等の柔軟清浄物に関する。
【背景技術】
【０００２】
身体を清浄する柔軟清浄物としてのタオルは、清浄するときの感触性が比較的高い綿糸がタオル織り機によりパイル織りされている（例えば、特許文献１。）。
【特許文献１】特開平６−１２８８５０号公報
【発明の開示】
【発明が解決しようとする課題】
【０００３】
ところが、綿糸をパイル織りしてなるタオルは石鹸などの清浄化成分が綿糸に滲透するため、清浄化成分量に対する泡立ち性が比較的悪いのであり、十分に泡立たせるには清浄化成分量を比較的多くする必要があり、改善策が要望されていた。
【０００４】
本発明は斯かる事情に鑑みてなされたものであり、清浄化成分の滲透性を有する第１網シートに、清浄化成分の非滲透性を有する第２網シートを重ねた構成とすることにより、清浄するときの感触を良好にできるとともに、清浄化成分の泡立ち性を高めることができる柔軟清浄物を提供することを目的とする。
【０００５】
また、第１網シートを第２網シートの両面側に配置し、第１網シート及び第２網シートの周縁部を結合した構成とすることにより、使い方に影響されることなく第１網シートを被清浄体に接触させて清浄することができるとともに、泡立ち性をより一層高めることができる柔軟清浄物を提供することを目的とする。
【０００６】
また、第１網シートは天然繊維を編成してなり、第２網シートは合成繊維を編成してなる構成とすることにより、清浄するときの感触をより一層良好にできるとともに、保形性を高めることができる柔軟清浄物を提供することを目的とする。
【０００７】
また、第１網シートは綿糸を編成してなり、第２網シートは合成繊維を編成してなる構成とすることにより、清浄するときの感触をより一層良好にできるとともに、保形性を高めることができる柔軟清浄物を提供することを目的とする。
【課題を解決するための手段】
【０００８】
第１発明に係る柔軟清浄物は、清浄化成分の滲透性を有する第１網シート及び清浄化成分の非滲透性を有し前記第１網シートに重なる第２網シートを備えていることを特徴とする。
【０００９】
第１発明にあっては、清浄化成分を滲透させることができる第１網シートを身体等の被清浄体に接触させることができるため、清浄するときの感触を良好にできる。しかも、清浄化成分の非滲透性を有する第２網シートの網目が空間となるようにしてあるため、この第２網シートの網目による空間によって前記清浄化成分の泡立ち性を高めることができ、この泡を第１網シートの網目から外部へ出すことができる。この結果、身体等の被清浄体を清浄するときに必要な清浄化成分量を比較的少なくすることができる。
【００１０】
第２発明に係る柔軟清浄物は、前記第１網シートは前記第２網シートの両面側に配置されており、第１網シート及び第２網シートの周縁部が結合されていることを特徴とする。
【００１１】
第２発明にあっては、使い方に影響されることなく第１網シートを被清浄体に接触させて清浄することができるため、使い方に影響されることなく感触性を得ることができ、しかも、第２網シートの網目による空間を２枚の第１網シート間に設けることができ、２枚の第１網シート間で泡立たせることができるため、泡立ち性をより一層高めることができる。
【００１２】
第３発明に係る柔軟清浄物は、前記第１網シートは天然繊維を編成してなり、第２網シートは合成繊維を編成してなることを特徴とする。
【００１３】
第３発明にあっては、天然繊維を被清浄体に接触させることができ、マッサージするように擦って清浄するときの感触をより一層良好にできるため、例えばアトピー性疾患者が使用する場合においても、肌にやさしくでき、アトピー性皮膚炎を起こし難くできる。しかも、第２網シートは天然繊維よりも柔軟性が悪い合成繊維であるため、柔軟清浄物に適度のこしをもたせることができ、保形性を高めることができる。
【００１４】
第４発明に係る柔軟清浄物は、前記第１網シートは綿糸を編成してなり、第２網シートは合成繊維を編成してなることを特徴とする。
【００１５】
第４発明にあっては、綿糸を被清浄体に接触させることができ、マッサージするように擦って清浄するときの感触をより一層良好にできるため、例えばアトピー性疾患者が使用する場合においても、肌にやさしくでき、アトピー性皮膚炎を起こし難くできる。しかも、第２網シートは綿糸よりも柔軟性が悪い合成繊維であるため、柔軟清浄物に適度のこしをもたせることができ、保形性を高めることができる。
【発明の効果】
【００１６】
第１発明によれば、清浄化成分を滲透させることができる第１網シートを被清浄体に接触させることができるため、清浄するときの感触を良好にでき、しかも、第２網シートの網目による空間によって清浄化成分の泡立ち性を高めることができ、この泡を第１網シートの網目から外部へ出すことができるため、身体等の被清浄体を清浄するときに必要な清浄化成分量を比較的少なくすることができる。
【００１７】
第２発明によれば、使い方に影響されることなく第１網シートを被清浄体に接触させて清浄することができるため、使い方に影響されることなく感触性を得ることができ、しかも、２枚の第１網シート間で泡立たせることができるため、泡立ち性をより一層高めることができる。
【００１８】
第３発明によれば、天然繊維を被清浄体に接触させることができ、清浄するときの感触をより一層良好にできるため、例えばアトピー性疾患者が使用する場合においても肌にやさしくできるのであり、しかも、第２網シートによって柔軟清浄物に適度のこしをもたせることができ、保形性を高めることができる。
【００１９】
第４発明によれば、綿糸を被清浄体に接触させることができ、清浄するときの感触をより一層良好にできるため、例えばアトピー性疾患者が使用する場合においても肌にやさしくできるのであり、しかも、第２網シートによって柔軟清浄物に適度のこしをもたせることができ、保形性を高めることができる。
【発明を実施するための最良の形態】
【００２０】
以下本発明をその実施の形態を示す図面に基づいて詳述する。図１は柔軟清浄物の一部を省略した斜視図、図２は柔軟清浄物の一部を拡大した平面図、図３は柔軟清浄物の拡大断面図、図４は柔軟清浄物の一部分を分解した斜視図である。
【００２１】
本発明に係る柔軟清浄物は、固形石鹸、液状石鹸等の清浄化成分を滲透させることができる矩形の２枚の第１網シート１，１と、該第１網シート１，１の間に介在されて第１網シート１，１と重なり、清浄化成分を滲透させることができない矩形の２枚の第２網シート２，２とを備えており、第１網シート１，１及び第２網シート２，２の周縁部が縫着により接合されてタオルになっている。また、長手方向の複数の位置に縫着部１ｂを設けて、第１網シート１，１及び第２網シート２，２を接合し、第１網シート１，１及び第２網シート２，２の位置ずれを少なくするようにしてある。
【００２２】
第１網シート１，１は清浄化成分が滲透する性質を有する綿糸が編成された網地からなり、第２網シート２，２は清浄化成分が滲透しない性質を有するポリエステル、ナイロン等の熱可塑性繊維が編成された網地からなり、第１網シート１，１及び第２網シート２，２の周縁部が縫着されることにより、第１網シート１，１は周縁部が閉じられた網袋になり、第２網シート２，２は前記網袋内に配置され周縁部が第１網シート１，１の周縁部に結合された構成となる。
【００２３】
第１網シート１，１の網目１ａは比較的大きい略菱形であり、第２網シート２，２の網目２ａは比較的小さい、詳しくは第１網シート１，１の網目１ａに対して１／４程度に小さい略六角形であり、第２網シート２，２の網目数を第１網シート１，１の網目数よりも多くしてある。
【００２４】
以上のように構成された柔軟清浄物は、例えば身体を清浄するためのタオルとして使用される。この柔軟清浄物を水又は湯に濡らし、固形石鹸、液状石鹸等の清浄化成分を柔軟清浄物に付着させた状態で柔軟清浄物を揉むことにより、又は身体に接触させて擦ることにより清浄化成分を泡立たせることができる。この場合、身体と接触する部分は綿糸からなるため、清浄するときの感触を良好にできる。また、清浄化成分の一部は綿糸からなる第１網シート１，１に滲透することになるが、身体と接触する部分は網袋になっており、この網袋内に清浄化成分の非滲透性を有する第２網シート２，２を設けて、第２網シート２，２の網目２ａが空間となるようにしてあるため、この第２網シート２，２の網目２ａによる空間によって前記清浄化成分の泡立ち性を高めることができ、この泡を第１網シート１，１の網目１ａから外部へ出すことができる。従って、身体を清浄するときに必要な清浄化成分量を従来のタオルに比べて少なくすることができる。
【００２５】
尚、以上説明した実施の形態では、第１網シート１を網袋とし、該網袋内に第２網シート２を設けたが、その他、例えば１枚又は複数枚の第１網シート１に１枚又は複数枚の第２網シート２を重ね、周縁部を縫着した構成としてもよい。また、２枚の第１網シート１，１の間に設ける第２網シート２は２枚である他、１枚又は３枚以上の複数枚であってもよく、その枚数は特に制限されない。
また、第１網シート１は綿糸である他、絹糸、麻糸等の天然繊維であってもよく、また、綿糸等の天然繊維と合成繊維の混紡であってもよい。
また、本発明の柔軟清浄物はタオルとして用いる他、食器、車両等の被清浄体を容易に清浄することができる大きさにしてもよい。
【図面の簡単な説明】
【００２６】
【図１】本発明に係る柔軟清浄物の一部を省略した斜視図である。
【図２】本発明に係る柔軟清浄物の一部を拡大した平面図である。
【図３】本発明に係る柔軟清浄物の拡大断面図である。
【図４】本発明に係る柔軟清浄物の一部分を分解した斜視図である。
【符号の説明】
【００２７】
１    第１網シート
２    第２網シート
【図１】
2005028098.tif 000003
【図２】
2005028098.tif 000004
【図３】
2005028098.tif 000005
【図４】
2005028098.tif 000006